(57)【特許請求の範囲】
【請求項１】
ネットワークに接続可能な基地局と移動局とをＣＤＭＡ（Code Division Multiple Access）方式の無線通信に接続し、前記基地局が複数の移動局に宛てて共通の無線信号を送信する移動無線システムにおいて、
前記移動局は、
前記共通の無線信号を受信し、その受信品質を検出する受信品質検出手段と、
この受信品質検出手段の検出結果に応じて、前記基地局に対して前記共通の無線信号の送信電力の増大あるいは減少を求める制御情報を送信する送信手段と、
を備え、
前記基地局は、
前記複数の移動局から前記制御情報を受信する受信手段と、
この受信手段にて受信した複数の移動局からの制御情報に基づいて、前記共通の無線信号の送信電力を制御する制御手段と、
を具備し、
前記制御手段は、
前記受信手段にて受信した制御情報に基づいて、前記共通の無線信号の送信電力の増大を要求する移動局の割合を検出する増大要求割合検出手段と、
この増大要求割合検出手段にて検出した割合が、予め設定した閾値より大きい場合に、前記共通の無線信号の送信電力を増大する送信電力制御手段と、
を備える、
ことを特徴とする移動無線システム。
【請求項２】
前記基地局は、
基地局より送信する無線信号の送信電力の合計に対する前記共通の無線信号の送信電力の割合を求める電力割合検出手段と、
この電力割合検出手段にて検出した割合に応じて、前記閾値を設定する閾値制御手段と、
を備えることを特徴とする請求項１に記載の移動無線システム。
【請求項３】
前記基地局は、
前記受信手段にて受信した制御情報に基づいて、前記共通の無線信号を受信している移動局の数を検出する移動局数検出手段と、
この移動局数検出手段にて検出した移動局の数に応じて、前記閾値を設定する閾値制御手段と、
を備えることを特徴とする請求項１に記載の移動無線システム。
【請求項４】
移動局とＣＤＭＡ（Code Division Multiple Access）方式の無線通信により接続し、複数の移動局に宛てて共通の無線信号を送信する基地局において、
前記複数の移動局から、前記共通の無線信号の送信電力の増大あるいは減少を求める制御情報を受信する受信手段と、
この受信手段にて受信した複数の移動局からの制御情報に基づいて、前記共通の無線信号の送信電力を制御する制御手段と、
を具備し、
前記制御手段は、
前記受信手段にて受信した制御情報に基づいて、前記共通の無線信号の送信電力の増大を要求する移動局の割合を検出する増大要求割合検出手段と、
この増大要求割合検出手段にて検出した割合が、予め設定した閾値より大きい場合に、前記共通の無線信号の送信電力を増大する送信電力制御手段と、
を備える、
ことを特徴とする基地局。
【請求項５】
当該基地局より送信する無線信号の送信電力の合計に対する前記共通の無線信号の送信電力の割合を求める電力割合検出手段と、
この電力割合検出手段にて検出した割合に応じて、前記閾値を設定する閾値制御手段と、
を備えることを特徴とする請求項４に記載の基地局。
【請求項６】
前記受信手段にて受信した制御情報に基づいて、前記共通の無線信号を受信している移動局の数を検出する移動局数検出手段と、
この移動局数検出手段にて検出した移動局の数に応じて、前記閾値を設定する閾値制御手段と、
を備えることを特徴とする請求項４に記載の基地局。
【発明の詳細な説明】
【０００１】
【発明の属する技術分野】
この発明は、例えばＣＤＭＡ（Code Division Multiple Access）通信方式などの通信方式を採用し、移動局から受信した情報に応じて、基地局の送信電力レベルを制御する移動無線システムに関する。
【０００２】
【従来の技術】
ＣＤＭＡ通信方式を採用する移動無線システムでは、基地局と複数の移動局との間の無線通信に同一周波数帯の信号を用いる。
上記基地局は、通信チャネルごとに割り当てられた拡散コードと呼ばれるランダムなパターンを有するコードを、そのチャネルの信号かけて広帯域信号に拡散して送信する。
【０００３】
これに対して、移動局では、複数のチャネルが混在している広帯域信号を受信し、基地局側で拡散に用いたコードと同じ拡散コードを、受信信号にかけることで、所望チャネルの信号を取り出すことができる。
【０００４】
このように、ＣＤＭＡ通信方式を採用する移動無線システムでは、複数のチャネルの信号をそれぞれ拡散して同一の周波数帯で多重化するので、チャネル数を増やすためには１チャネル当たりの送信電力レベルをなるべく小さくする必要がある。
【０００５】
しかし、基地局と各移動局の距離は一定ではなく、そして電波の伝搬環境も移動局ごとに異なるので、各移動局において一定の受信品質を得るために必要な基地局の送信電力レベルは、移動局ごとに異なったものとなる。
【０００６】
このため、現在のシステムでは、各移動局が受信したチャネルの受信品質を判定し、所望の品質を満たしている場合にはそのチャネルの送信電力レベルを小さくするように基地局に対して要求し、逆に所望の品質を満たしていない場合にはそのチャネルの送信電力レベルを大きくするように基地局に対して要求する。そして、基地局は各移動局ごとにその要求に応じた送信電力レベルで送信を行うことにより、必要かつ十分な送信電力レベルで各チャネルの送信を行って、各移動局において一定の受信品質を得ることができる。
【０００７】
ところで、複数の移動局に対して同一の情報を送信する同報送信のような無線通信にも、ＣＤＭＡ通信方式を採用した移動無線システムを利用することができる。この場合、この同報用のデータを、複数の移動局間で共通な拡散コードにより基地局で拡散して送信し、複数の移動局は上記共通な拡散コードで逆拡散することで、複数の移動局で同一の同報信号を受信できる。
【０００８】
この場合においても、基地局と移動局の位置関係などに応じて、移動局ごとに受信品質が異なるが、基地局からある程度離れた移動局でも受信できるようにするために、やや過大な送信電力レベルで送信を行わなければならない。
【０００９】
しかしながら、上述したように、基地局が同報信号をある一定の送信電力レベルで送信した場合、基地局に比較的近い移動局にとっては受信品質が過大であり、基地局から比較的遠い移動局にとっては受信品質が過小となる。
【００１０】
このため、同報信号を受信する移動局が存在しない場合や、ほとんどの移動局が基地局の近くにいる場合でも同じ送信電力レベルで送信することになるため、状況によっては、基地局の全送信電力レベルに対する同報信号の電力レベルの割合が必要以上に大きくなり、結果としてその周波数帯の利用効率が低下するという問題があった。
【００１１】
【発明が解決しようとする課題】
従来の移動無線システムでは、移動局の分布状態とは無関係に、基地局が同報信号を一定の送信電力レベルで送信するため、状況によっては、基地局の全送信電力レベルに対する同報信号の電力レベルの割合が必要以上に大きくなり、結果としてその周波数帯の利用効率が低下するという問題があった。
【００１２】
この発明は上記の問題を解決すべくなされたもので、移動局の分布状態によらず、同報信号を最適な送信電力レベルで送信して、通信に利用する周波数帯の利用効率の低下を防止することが可能な移動無線システムおよび基地局を提供することを目的とする。
【００１３】
【課題を解決するための手段】
上記の目的を達成するために、請求項１に係わる本発明は、ネットワークに接続可能な基地局と移動局とをＣＤＭＡ方式の無線通信に接続し、基地局が複数の移動局に宛てて共通の無線信号を送信する移動無線システムにおいて、移動局は、共通の無線信号を受信し、その受信品質を検出する受信品質検出手段と、この受信品質検出手段の検出結果に応じて、基地局に対して共通の無線信号の送信電力の増大あるいは減少を求める制御情報を送信する送信手段とを備え、基地局は、複数の移動局から制御情報を受信する受信手段と、この受信手段にて受信した複数の移動局からの制御情報に基づいて、共通の無線信号の送信電力を制御する制御手段とを具備して構成するようにした。
【００１４】
上記構成の移動無線システムでは、移動局が基地局から複数の移動局に対して共通に送信する無線信号を受信して、その品質を求め、この品質に応じて基地局に対して上記無線信号の送信電力を増減を求める制御情報を送信し、これに対して基地局は、複数の移動局からの上記制御情報に基づいて共通の無線信号の送信電力を制御するようにしている。
【００１５】
したがって、上記構成の移動無線システムによれば、基地局の無線ゾーン内に位置する移動局の分布が変化しても、複数の移動局の要求に応じて上記共通な無線信号を最適な送信電力レベルに制御して送信できるので、通信に利用する周波数帯の利用効率の低下を防止することができる。
【００１６】
また上記の目的を達成するために、請求項５に係わる本発明は、移動局とＣＤＭＡ方式の無線通信により接続し、複数の移動局に宛てて共通の無線信号を送信する基地局において、複数の移動局から、共通の無線信号の送信電力の増大あるいは減少を求める制御情報を受信する受信手段と、この受信手段にて受信した複数の移動局からの制御情報に基づいて、共通の無線信号の送信電力を制御する制御手段とを具備して構成するようにした。
【００１７】
上記構成の基地局では、複数の移動局に対して共通に送信する無線信号の送信電力を増減を求める制御情報を複数の移動局から受信して、この制御情報に基づいて共通の無線信号の送信電力を制御するようにしている。
【００１８】
したがって、上記構成の基地局によれば、基地局の無線ゾーン内に位置する移動局の分布が変化しても、複数の移動局の要求に応じて上記共通な無線信号を最適な送信電力レベルに制御して送信できるので、通信に利用する周波数帯の利用効率の低下を防止することができる。
【００１９】
【発明の実施の形態】
以下、図面を参照して、この発明の一実施形態について説明する。
図１は、この発明の第１の実施形態に係わる基地局の構成を示すもので、以下の説明では、本発明に関わる構成についてのみ説明し、その他、移動通信網との接続に関わる構成などについては説明を省略する。
【００２０】
この基地局は、通信信号送信部１１〜１ｍ（ｍ＞３）、同報信号送信部２０、多重化部３０、アンテナ共用部４０、アンテナ５０、受信部６０、検出部７１および制御部１０１を備えている。
【００２１】
通信信号送信部１１は、通信相手となる移動局ＰＳ１に向けて送信する通信データに基づいて、ＣＤＭＡ方式の無線周波の通信信号を生成し、多重化部３０に出力する。
【００２２】
同様に、通信信号送信部１２〜１ｍは、それぞれ通信相手となる移動局ＰＳ２〜ＰＳｍに向けて送信する通信データに基づいて、ＣＤＭＡ方式の無線周波の通信信号を生成し、多重化部３０に出力する。
【００２３】
同報信号送信部２０は、当該基地局の無線ゾーン内に位置するすべての移動局ＰＳ１〜ＰＳｍに向けて送信する同報データに基づいて、ＣＤＭＡ方式の無線周波の同報信号を生成し、多重化部３０に出力する。
また、同報信号送信部２０は、上記同報信号の送信電力レベルを、後述する制御部１０１からの指示に応じて、一定のレベル（以下、１電力単位と称する）ずつ段階的に増減させる。
【００２４】
多重化部３０は、通信信号送信部１１〜１ｍにてそれぞれ生成された通信信号および同報信号送信部２０にて生成された同報信号をＲＦ合成して多重化し、アンテナ共用部４０に出力する。
【００２５】
アンテナ共用部４０は、アンテナ５０を送信用と受信用で共用するためのものであり、多重化部３０にて多重化された無線周波の信号をアンテナ５０を通じて空間に放射させるとともに、アンテナ５０にて空間から受信した無線周波の信号を受信部６０に出力する。
【００２６】
受信部６０は、アンテナ共用部４０を通じて入力される無線周波の受信信号をベースバンド信号に周波数変換した後、逆拡散処理を施して、移動局ＰＳ１〜ＰＳｍから送られるデータを抽出するものである。
【００２７】
また、受信部６０は、上記データから送信電力制御情報を取り出し、検出部７１に出力する。この送信電力制御情報は、移動局ＰＳ１〜ＰＳｍからそれぞれ送られるものである。
【００２８】
移動局ＰＳ１〜ＰＳｍは、それぞれ当該基地局から受信した同報信号の受信品質を検出し、この検出した受信品質が所定の基準レベル未満の場合には、同報信号の送信電力を増大させる要求を含む上記送信電力制御情報を生成して送信する。
【００２９】
一方、移動局ＰＳ１〜ＰＳｍは、それぞれ当該基地局から受信した同報信号の受信品質を検出し、この検出した受信品質が所定の基準レベル以上の場合には、同報信号の送信電力を減少させる要求を含む上記送信電力制御情報を生成して送信する。
【００３０】
また、移動局ＰＳ１〜ＰＳｍは、それぞれ当該基地局から受信した通信信号の受信品質に応じて、通信信号の送信電力を増加あるいは減少させる要求を含む上記送信電力制御情報を生成して送信するが、この点については従来と同じである。
【００３１】
検出部７１は、移動局ＰＳ１〜ＰＳｍよりそれぞれ送信された送信電力制御情報が、同報信号の送信電力の増大を要求するものか、減少を要求するものかを判定し、同報信号の送信電力の増大を要求するものの割合を検出して、この割合を増大要求割合Ｒｄとして制御部１０１に通知する。
【００３２】
制御部１０１は、当該基地局の各部を統括して制御するもので、当該基地局と移動局ＰＳ１〜ＰＳｍとの間の通信制御や、当該基地局と通信する移動局ＰＳ１〜ＰＳｍを移動通信システムのネットワークに接続する制御など通常の制御機能の他に、検出部７１から通知される増大要求割合Ｒｄに応じて、同報信号送信部２０を制御して同報信号の送信電力レベルを増減する制御機能を新たに備えたものである。
【００３３】
次に、上記構成の基地局の動作について説明する。
以下の説明では、移動局ＰＳ１〜ＰＳｍとの間の通信制御や、移動局ＰＳ１〜ＰＳｍを移動通信システムのネットワークに接続する制御など通常の制御動作については、説明を省略する。
【００３４】
ここでは、本願発明に関わる、同報信号の送信電力レベル制御の動作について説明する。図２は、上記制御を説明するためのフローチャートであって、この処理は、所定の制御周期Ｔｃが到来するたびに制御部１０１によって実行される。
【００３５】
所定の制御周期Ｔｃが到来すると、まずステップ２ａにおいて、検出部７１から増大要求割合Ｒｄを取り込み、ステップ２ｂに移行する。
ステップ２ｂでは、増大要求割合Ｒｄが閾値ｔｈＤより高いか否かを判定する。ここで、増大要求割合Ｒｄが閾値ｔｈＤより高い場合には、ステップ２ｃに移行し、一方、増大要求割合Ｒｄが閾値ｔｈＤ以下の場合には、ステップ２ｄに移行する。
【００３６】
ステップ２ｃでは、同報信号送信部２０に対して、同報信号の送信電力レベルを１電力単位だけ増大させるように指示し、当該処理を終了する。
これにより、同報信号送信部２０は、上記同報信号の送信電力レベルを１電力単位だけ増大させる。
【００３７】
一方、ステップ２ｄでは、同報信号送信部２０に対して、同報信号の送信電力レベルを１電力単位だけ減少させるように指示し、当該処理を終了する。
これにより、同報信号送信部２０は、上記同報信号の送信電力レベルを１電力単位だけ減少させる。
【００３８】
以上のように、上記構成の基地局では、移動局ＰＳ１〜ＰＳｍのうち、同報信号の送信電力の増大を要求するものの割合Ｒｄが、閾値ｔｈＤよりも高い場合には、同報信号の送信電力レベルを１電力単位だけ増大させ、一方、上記割合Ｒｄが閾値ｔｈＤ以下の場合には、同報信号の送信電力レベルを１電力単位だけ減少させるようにしている。
【００３９】
したがって、上記構成の基地局によれば、例えば図３（ａ）に示すように、増大要求割合Ｒｄが変化したとすると、図３（ｂ）に示すように、同報信号の送信電力レベルが増減される。
【００４０】
このため、移動局の分布が変化しても、送信電力の増大を要求する移動局の割合Ｒｄに応じて同報信号を最適な送信電力レベルに制御して送信できるので、通信に利用する周波数帯の利用効率の低下を防止することができる。
【００４１】
図４は、この発明の第２の実施形態に係わる基地局の構成を示すもので、以下の説明では、本発明に関わる構成についてのみ説明し、その他、移動通信網との接続に関わる構成などについては説明を省略する。
【００４２】
この基地局は、通信信号送信部１１〜１ｍ（ｍ＞３）、同報信号送信部２０、多重化部３０、アンテナ共用部４０、アンテナ５０、受信部６０、検出部７１、電力検出部８０および制御部１０２を備えている。
【００４３】
通信信号送信部１１は、通信相手となる移動局ＰＳ１に向けて送信する通信データに基づいて、ＣＤＭＡ方式の無線周波の通信信号を生成し、多重化部３０と電力検出部８０に出力する。
【００４４】
同様に、通信信号送信部１２〜１ｍは、それぞれ通信相手となる移動局ＰＳ２〜ＰＳｍに向けて送信する通信データに基づいて、ＣＤＭＡ方式の無線周波の通信信号を生成し、多重化部３０と電力検出部８０に出力する。
【００４５】
同報信号送信部２０は、当該基地局の無線ゾーン内に位置するすべての移動局ＰＳ１〜ＰＳｍに向けて送信する同報データに基づいて、ＣＤＭＡ方式の無線周波の同報信号を生成し、多重化部３０と電力検出部８０に出力する。
また、同報信号送信部２０は、上記同報信号の送信電力レベルを、後述する制御部１０２からの指示に応じて、一定のレベル（以下、１電力単位と称する）ずつ段階的に増減させる。
【００４６】
多重化部３０は、通信信号送信部１１〜１ｍにてそれぞれ生成された通信信号および同報信号送信部２０にて生成された同報信号をＲＦ合成して多重化し、アンテナ共用部４０に出力する。
【００４７】
アンテナ共用部４０は、アンテナ５０を送信用と受信用で共用するためのものであり、多重化部３０にて多重化された無線周波の信号をアンテナ５０を通じて空間に放射させるとともに、アンテナ５０にて空間から受信した無線周波の信号を受信部６０に出力する。
【００４８】
受信部６０は、アンテナ共用部４０を通じて入力される無線周波の受信信号をベースバンド信号に周波数変換した後、逆拡散処理を施して、移動局ＰＳ１〜ＰＳｍから送られるデータを抽出するものである。
【００４９】
また、受信部６０は、上記データから送信電力制御情報を取り出し、検出部７１に出力する。この送信電力制御情報は、移動局ＰＳ１〜ＰＳｍからそれぞれ送られるものである。
【００５０】
移動局ＰＳ１〜ＰＳｍは、それぞれ当該基地局から受信した同報信号の受信品質を検出し、この検出した受信品質が所定の基準レベル未満の場合には、同報信号の送信電力を増大させる要求を含む上記送信電力制御情報を生成して送信する。
【００５１】
一方、移動局ＰＳ１〜ＰＳｍは、それぞれ当該基地局から受信した同報信号の受信品質を検出し、この検出した受信品質が所定の基準レベル以上の場合には、同報信号の送信電力を減少させる要求を含む上記送信電力制御情報を生成して送信する。
【００５２】
また、移動局ＰＳ１〜ＰＳｍは、それぞれ当該基地局から受信した通信信号の受信品質に応じて、通信信号の送信電力を増加あるいは減少させる要求を含む上記送信電力制御情報を生成して送信するが、この点については従来と同じである。
【００５３】
検出部７１は、移動局ＰＳ１〜ＰＳｍよりそれぞれ送信された送信電力制御情報が、同報信号の送信電力の増大を要求するものか、減少を要求するものかを判定し、同報信号の送信電力の増大を要求するものの割合を検出して、この割合を増大要求割合Ｒｄとして制御部１０２に通知する。
【００５４】
電力検出部８０は、通信信号送信部１１〜１ｍにて生成された通信信号および同報信号送信部２０にて生成された同報信号の電力レベルをそれぞれ検出し、これらの無線周波の信号の合成電力レベルに対する上記同報信号の電力レベルの電力比Ｒｐを求める。この電力比Ｒｐは、制御部１０２に通知される。
【００５５】
制御部１０２は、当該基地局の各部を統括して制御するもので、当該基地局と移動局ＰＳ１〜ＰＳｍとの間の通信制御や、当該基地局と通信する移動局ＰＳ１〜ＰＳｍを移動通信システムのネットワークに接続する制御など通常の制御機能の他に、検出部７１から通知される増大要求割合Ｒｄと電力検出部８０から通知される電力比Ｒｐに応じて、同報信号送信部２０を制御して同報信号の送信電力レベルを増減する制御機能を新たに備えたものである。
【００５６】
次に、上記構成の基地局の動作について説明する。
以下の説明では、移動局ＰＳ１〜ＰＳｍとの間の通信制御や、移動局ＰＳ１〜ＰＳｍを移動通信システムのネットワークに接続する制御など通常の制御動作については、説明を省略する。
【００５７】
ここでは、本願発明に関わる、同報信号の送信電力レベル制御の動作について説明する。図５は、上記制御を説明するためのフローチャートであって、この処理は、所定の制御周期Ｔｃが到来するたびに制御部１０１によって実行される。
【００５８】
所定の制御周期Ｔｃが到来すると、まずステップ５ａにおいて、電力検出部８０から電力比Ｒｐを取り込み、ステップ５ｂに移行する。
ステップ５ｂでは、電力比Ｒｐが閾値ｔｈＰより大きいか否かを判定する。  ここで、電力比Ｒｐが閾値ｔｈＰより大きい場合には、ステップ５ｃに移行し、一方、電力比Ｒｐが閾値ｔｈＰ以下の場合には、ステップ５ｄに移行する。
【００５９】
ステップ５ｃでは、閾値ｔｈＤとしてｔｈ１を設定し、ステップ５ｅに移行する。
一方、ステップ５ｄでは、閾値ｔｈＤとしてｔｈ２（＜ｔｈ１）を設定し、ステップ５ｅに移行する。
【００６０】
ステップ５ｅでは、検出部７１から増大要求割合Ｒｄを取り込み、ステップ５ｆに移行する。
ステップ５ｆでは、増大要求割合Ｒｄが閾値ｔｈＤより高いか否かを判定する。ここで、増大要求割合Ｒｄが閾値ｔｈＤより高い場合には、ステップ５ｇに移行し、一方、増大要求割合Ｒｄが閾値ｔｈＤ以下の場合には、ステップ５ｈに移行する。
【００６１】
ステップ５ｇでは、同報信号送信部２０に対して、同報信号の送信電力レベルを１電力単位だけ増大させるように指示し、当該処理を終了する。
これにより、同報信号送信部２０は、上記同報信号の送信電力レベルを１電力単位だけ増大させる。
【００６２】
一方、ステップ５ｈでは、同報信号送信部２０に対して、同報信号の送信電力レベルを１電力単位だけ減少させるように指示し、当該処理を終了する。
これにより、同報信号送信部２０は、上記同報信号の送信電力レベルを１電力単位だけ減少させる。
【００６３】
以上のように、上記構成の基地局では、送信するすべての無線周波の信号の合成電力レベルに対する同報信号の電力レベルの電力比Ｒｐが、閾値ｔｈＰより大きい場合には、閾値ｔｈＤをｔｈ１に設定し、一方、電力比Ｒｐが、閾値ｔｈＲ以下の場合には、閾値ｔｈＤをｔｈ１より小さいｔｈ２に設定する。
【００６４】
そして、移動局ＰＳ１〜ＰＳｍのうち、同報信号の送信電力の増大を要求するものの割合Ｒｄが、閾値ｔｈＤよりも高い場合には、同報信号の送信電力レベルを１電力単位だけ増大させ、一方、上記割合Ｒｄが閾値ｔｈＤ以下の場合には、同報信号の送信電力レベルを１電力単位だけ減少させるようにしている。
【００６５】
したがって、上記構成の基地局によれば、同報信号の送信電力を増大させることにより、例えば図６（ｂ）に示すように電力比Ｒｐが閾値ｔｈＰより大きくなると、図６（ａ）に示すように、閾値ｔｈＤの値をｔｈ１と大きい値に設定して、電力比Ｒｐの増大を抑制するようにして、同報信号の送信電力レベルが増減される。
【００６６】
このように、同報信号の送信電力レベルを増減させる閾値ｔｈＤを、電力比Ｒｐに応じて可変するようにしているため、当該基地局から送信される無線信号の総電力レベルに占める同報信号の送信電力レベルの割合Ｒｐが小さい場合には、閾値ｔｈＤの値を小さくして、同報信号の受信品質を満たす移動局を増やし、逆に、上記割合Ｒｐが大きい場合には、閾値ｔｈＤの値を大きくして、同報信号の送信電力レベルを低下させて、上記割合Ｒｐを低下させ、他のチャネルへの影響を軽減することができる。
【００６７】
尚、この発明は上記実施の形態に限定されるものではない。
例えば、上記第２の実施形態では、同報信号の送信電力レベルを増減させる閾値を、電力比Ｒｐに応じて可変するようにしたが、これに代わって例えば、第３の実施形態として図７に示すような構成の基地局により、当該基地局が送信する同報信号を受信する移動局の数を検出して、この数に応じて可変するようにしてもよい。
【００６８】
図７に示す基地局では、検出部７２が、上記検出部７１と同様にして、増大要求割合Ｒｄを検出するとともに、送信電力制御情報に基づいて、当該基地局より送信している同報信号を受信している移動局の数Ｍを検出する。
【００６９】
そして、制御部１０３が、移動局の数Ｍに応じて、同報信号の増減を決定する閾値ｔｈＤの値を設定し、そして上記閾値ｔｈＤと増大要求割合Ｒｄを比較し、この比較結果に応じて同報信号送信部２０を制御して同報信号の送信電力レベルを増減する。
【００７０】
このような制御では、上記移動局の数Ｍがある値以上になった場合には、上記電力比Ｒｐが増すように閾値ｔｈＤを低く設定し、例えば９０パーセント以上の移動局の受信品質が所望のレベルとなるようにし、受信品質が所望のレベルにならない移動局については、他の基地局の無線ゾーンに移動することで受信品質が所望のレベルとなるようにする。これにより、システム全体のバランスをとることができる。
【００７１】
またこの他に、同報信号を受信している移動局の数Ｍと、上記電力比Ｒｐを組み合わせて、閾値を可変するようにしてもよい。
その他、この発明の要旨を逸脱しない範囲で種々の変形を施しても同様に実施可能であることはいうまでもない。
【００７２】
【発明の効果】
以上述べたように、この発明では、移動局が基地局から複数の移動局に対して共通に送信する無線信号を受信して、その品質を求め、この品質に応じて基地局に対して上記無線信号の送信電力を増減を求める制御情報を送信し、これに対して基地局は、複数の移動局からの上記制御情報に基づいて共通の無線信号の送信電力を制御するようにしている。
【００７３】
したがって、この発明によれば、基地局の無線ゾーン内に位置する移動局の分布が変化しても、複数の移動局の要求に応じて上記共通な無線信号を最適な送信電力レベルに制御して送信できるので、通信に利用する周波数帯の利用効率の低下を防止することが可能な移動無線システムを提供できる。
【００７４】
また、この発明では、複数の移動局に対して共通に送信する無線信号の送信電力を増減を求める制御情報を複数の移動局から受信して、この制御情報に基づいて共通の無線信号の送信電力を制御するようにしている。
【００７５】
したがって、この発明によれば、基地局の無線ゾーン内に位置する移動局の分布が変化しても、複数の移動局の要求に応じて上記共通な無線信号を最適な送信電力レベルに制御して送信できるので、通信に利用する周波数帯の利用効率の低下を防止することが可能な基地局を提供できる。
【図面の簡単な説明】
【図１】この発明に係わる基地局の第１の実施の形態の構成を示す回路ブロック図。
【図２】図１に示した基地局の同報信号の送信電力制御動作を説明するためのフローチャート。
【図３】図１に示した基地局の同報信号の送信電力制御動作を説明するための図。
【図４】この発明に係わる基地局の第２の実施の形態の構成を示す回路ブロック図。
【図５】図４に示した基地局の同報信号の送信電力制御動作を説明するためのフローチャート。
【図６】図４に示した基地局の同報信号の送信電力制御動作を説明するための図。
【図７】この発明に係わる基地局の第３の実施の形態の構成を示す回路ブロック図。
【符号の説明】
１１〜１ｍ…通信信号送信部
２０…同報信号送信部
３０…多重化部
４０…アンテナ共用部
５０…アンテナ
６０…受信部
７１，７２…検出部
８０…電力検出部
１０１，１０２，１０３…制御部
ＰＳ１〜ＰＳｍ…移動局
【図１】
0004664517.tif 000002
【図２】
0004664517.tif 000003
【図３】
0004664517.tif 000004
【図４】
0004664517.tif 000005
【図５】
0004664517.tif 000006
【図６】
0004664517.tif 000007
【図７】
0004664517.tif 000008